【手続補正書】
【提出日】令和3年5月14日(2021.5.14)
【手続補正１】
【補正対象書類名】特許請求の範囲
【補正対象項目名】全文
【補正方法】変更
【補正の内容】
【特許請求の範囲】
【請求項１】
対向する前方方向（ＤＦ）及び後方方向（ＤＲ）を画定する工具保持システム中心軸（Ａ）を有する工具保持システム（２２、１２２）であって、
切削インサート（２４）を締め付けて受け入れるための締め付け孔（３２）を有する締め付けスリーブ部（３０）の少なくとも一部を形成する一体形成されたワンピースの内側連結部材（３６、１３６）であって、前記締め付け孔（３２）は前記工具保持システム（２２、１２２）の前端（３４）に開口し、前記内側連結部材（３６、１３６）は、半径方向外向きに面する第１係合面（５６）を有する、一体形成されたワンピースの内側連結部材（３６、１３６）、及び
半径方向内向きの第２係合面（５８）を有する一体形成されたワンピースの外側連結部材（３８、１３８）を含む締め付け部（２８）と、
前記内側連結部材（３６、１３６）及び前記外側連結部材（３８、１３８）の一方に接続された取付け部（２６）と、を含み、
前記外側連結部材（３８、１３８）は、前記内側連結部材（３６、１３６）の少なくとも一部の周りに円周方向に配置され、前記第１係合面（５６）は前記第２係合面（５８）に面し、
前記内側連結部材（３６、１３６）及び前記外側連結部材（３８、１３８）は互いに拘束的かつ解放不能に係合され、
前記第１係合面（５６）及び前記第２係合面（５８）は、前記内側及び外側連結部材をロック位置と解放位置との間で調整するために、互いに対して摺動可能に変位可能である工具保持システム（２２、１２２）。
【請求項２】
前記第１係合面（５６）及び前記第２係合面（５８）が、前記工具保持システム中心軸（Ａ）の周りに円周方向に延在し、
前記第１係合面（５６）及び前記第２係合面（５８）が、前記工具保持システム中心軸（Ａ）の周りで円周方向（Ｓ）に互いに対して摺動可能に変位可能である、請求項１に記載の工具保持システム（２２、１２２）。
【請求項３】
前記第１係合面（５６）及び前記第２係合面（５８）が、前記円周方向（Ｓ）に互いに対して５０°以下だけ摺動可能に変位可能である、請求項２に記載の工具保持システム（２２）。
【請求項４】
前記第１係合面（５６）が、その中に窪んだ少なくとも１つの係合凹部（６２）を備え、
前記第２係合面（５８）が、そこから突出する少なくとも１つの係合突起（６０）を備え、
各係合突起（６０）が、それぞれの係合凹部（６２）内に配置される、請求項１〜３のいずれか一項に記載の工具保持システム（２２、１２２）。
【請求項５】
前記少なくとも１つの係合突起（６０）が、少なくとも１つの軸方向突起列に配置された複数の角度的に離間した係合突起（６０）を含み、
前記少なくとも１つの係合凹部（６２）が、少なくとも１つの軸方向凹部列に配置された複数の角度的に離間した係合凹部（６２）を含む、請求項４に記載の工具保持システム（２２）。
【請求項６】
各係合凹部（６２）が、中央凹部底面（６６）を含み、
各凹部底面（６６）が、凹部クリアランス面（６８）と、前記円周方向（Ｓ）に前記凹部クリアランス面（６８）に隣接する凹部当接面（７０）と、を含み、
前記凹部当接面（７０）が、前記凹部クリアランス面（６８）よりも半径方向に前記工具保持システム中心軸（Ａ）から遠くに配置される、請求項４又は５に記載の工具保持システム（２２）。
【請求項７】
前記第１係合面（５６）が、そこから突出する少なくとも１つの係合突起（６０）を備え、
前記第２係合面（５８）が、その中に窪んだ少なくとも１つの係合凹部（６２）を備え、
各係合突起（６０）が、それぞれの係合凹部（６２）内に配置される、請求項１又は２に記載の工具保持システム（１２２）。
【請求項８】
前記少なくとも１つの係合凹部（６２）が環状溝（１０８）を含み、
前記少なくとも１つの係合突起（６０）が環状リッジ（１１０）を含む、請求項７に記載の工具保持システム（１２２）。
【請求項９】
前記内側連結部材（３６、１３６）が、前記取付け部（２６）と一体的に接続され、ワンピース構造を有する工具本体（３９）を形成する、請求項１〜６のいずれか一項に記載の工具保持システム（２２）。
【請求項１０】
前記外側連結部材（１３８）が、半径方向内向きの外側ネジ部（９８）を含み、
前記取付け部（２６）が、半径方向外側に面する取り付けネジ部（１００）を含み、
前記外側ネジ部（９８）が、前記取り付けネジ部（１００）にねじ式に係合する、請求項１、２、７及び８のいずれか一項に記載の工具保持システム（１２２）。
【請求項１１】
前記内側連結部材（３６）が、前記締め付けスリーブ部（３０）全体を形成する、請求項１〜７及び９のいずれか一項に記載の工具保持システム（２２）。
【請求項１２】
前記内側連結部材（１３６）が、摺動コレットリング（１０２）を形成し、
前記締め付けスリーブ部（３０）が、前記内側連結部材（１３６）に取り外し可能に取り付けられたコレット（１０６）をさらに備え、
前記締め付け孔（３２）が前記コレット（１０６）内に配置される、請求項１、２、７、８及び１０のいずれか一項に記載の工具保持システム（１２２）。
【請求項１３】
前記工具保持システム（２２、１２２）の前記前端（３４）に開口する少なくとも１つの冷却剤チャネル（７６）をさらに備える、請求項１〜１２のいずれか一項に記載の工具保持システム（２２、１２２）。
【請求項１４】
各冷却剤チャネル（７６）が、内側連結部材（３６）内に形成され、その軸方向長さ全体にわたって延在する、請求項１３に記載の工具保持システム（２２）。
【請求項１５】
前記内側連結部材（３６）が、少なくとも１つの軸方向に延在する冷却剤リッジ（７８）を含み、
各冷却剤チャネル（７６）が、冷却剤リッジ（７８）内に配置される、請求項１４に記載の工具保持システム（２２）。
【請求項１６】
前記内側連結部材（１３６）が、前記内側連結部材（１３６）の軸方向長さ全体に延在する冷却剤溝（１１４）を備え、
各冷却剤チャネル（７６）が、前記冷却剤溝（１１４）及び前記外側連結部材（１３８）によって形成される、請求項１３に記載の工具保持システム（１２２）。
【請求項１７】
請求項１〜１６のいずれか一項に記載の工具保持システム（２２、１２２）と、
前記締め付け孔（３２）内に配置され、そこに締め付け係合される切削インサート（２４）と、を含む切削工具（２０、１２０）。
【請求項１８】
請求項１〜１６のいずれか一項に記載の工具保持システム（２２、１２２）の製造及び組立て方法であって、
前記取付け部（２６）を製造する工程と、
付加製造プロセスを用いて、締め付けヘッド部（８０、１８０）を製造する工程であって、前記締め付けヘッド部（８０、１８０）は、
前記内側連結部材（３６、１３６）及び前記外側連結部材（３８、１３８）、
前記内側連結部材（３６、１３６）と前記外側連結部材（３８、１３８）とを接続する少なくとも１つの接続部分（９２）、
前記内側連結部材（３６、１３６）及び前記外側連結部材（３８、１３８）と前記少なくとも１つの接続部分（９２）とによって境界付けられた環状の分離キャビティ（９４）、並びに
前記締め付けヘッド部（８０、１８０）の少なくとも締め付けヘッド前端面（８２）に開口する締め付けヘッド孔（８８）を含む工程と、
前記締め付けヘッド部（８０、１８０）を前記内側連結部材（３６、１３６）及び前記外側連結部材（３８、１３８）に分離する工程と、
前記締め付けヘッド部（８０、１８０）を前記取付け部（２６）に接続する工程と、を備える方法。
【請求項１９】
前記分離キャビティを完全に閉じるように、前記内側連結部材（３６、１３６）及び前記外側結合部材（３８、１３８）を接続する正確に２つの接続部分（９２）を有するように前記締め付けヘッド部（８０、１８０）を製造する工程を備える、請求項１８に記載の方法。
【請求項２０】
前記締め付けヘッド部（８０、１８０）を前記内側連結部材（３６、１３６）と前記外側連結部材（３８、１３８）とに分離する工程が、前記少なくとも１つの接続部分（９２）を除去する工程を備える、請求項１８又は１９に記載の方法。
【請求項２１】
前記少なくとも１つの接続部分（９２）を除去する工程が、
ｉ）前記締め付けヘッド部（８０、１８０）において、前記分離キャビティ（９４）に延在する分離溝（９６）を面溝形成する工程、又は
ｉｉ）前記締め付けヘッド部（８０、１８０）を前記分離キャビティ（９４）に研削する工程、又は
ｉｉｉ）前記締め付けヘッド部（８０、１８０）において、前記分離キャビティ（９４）に延在する分離溝（９６）を外部溝形成する工程、又は
ｉｖ）前記締め付けヘッド孔（８８）において、前記分離キャビティ（９４）に延在する分離溝（９６）を内部溝形成する工程を備える、請求項２０に記載の方法。
【請求項２２】
前記締め付けヘッド部（１８０）を前記内側及び外側連結部材（１３６、１３８）に分離した後に、コレット（１０６）を前記内側連結部材（１３６）に解放可能に取り付ける工程をさらに備え、
前記締め付けヘッド部（１８０）を前記取付け部（２６）に接続する工程が、前記コレット（１０６）を前記内側連結部材（１３６）に解放可能に取り付けた後に、前記外側連結部材（１３８）を前記取付け部（２６）にねじ式に取り付ける工程を備える、請求項１８〜２１のいずれか一項に記載の方法。